(57)【要約】【課題】様々なユーザのニーズを満たす椅子を提供する。【解決手段】椅子１は、第１の座部１１と、第１の座部１１を支持する４本の脚１２と、第１の座部１１が形成する第１の座面とは高さが異なる第２の座面を形成する第２の座部１３と、第１の座部１１の後端部から上方へ延伸する背もたれ部１４と、第１の座部１１および背もたれ部１４の左右の各々の側端部から延伸する２つの側部１５と、仕切り部１６とを備える。椅子１は、第２の座部１３が仕切り部１６と側部１５との間に水平に配置され子供連れのユーザのニーズを満たす第１の形状と、第２の座部１３および仕切り部１６が側部１５に沿うように縦置きに配置され大きな体格のユーザのニーズを満たす第２の形状と、第２の座部１３のみが側部１５に沿うように縦置きに配置され手荷物を持ったユーザのニーズを満たす第３の形状とを選択的にとることができる。【選択図】図１
2011172857.tif 000002
【特許請求の範囲】
【請求項１】
第１の形状と第２の形状とを選択的に取り得る変形可能な椅子であって、
前記第１の形状においては、第１の座面を形成する第１の座部と、前記第１の座面より高所において上方から見た場合に前記第１の座部の少なくとも一部を覆う位置に位置する第２の座面を形成する第２の座部とを備え、
前記第２の形状においては、前記第２の座部が前記第２の座面を形成せず、前記第１の座部が前記第１の座面の全てを含み前記第１の座面よりも広い第３の座面を形成する
椅子。
【請求項２】
前記第１の座部の後端部から上方へ延伸する背もたれ部を備える
請求項１に記載の椅子。
【請求項３】
前記背もたれ部は、上端部の左右方向のいずれかの位置から下方に向かう切れ目であって、上下方向の長さが１０センチメートル以上である切れ目を有する
請求項２に記載の椅子。
【請求項４】
前記第１の座部の左側端部と右側端部との少なくともいずれか一方から上方へ延伸する、もしくは前記背もたれ部の左側端部と右側端部との少なくともいずれか一方から前方へ延伸する、１以上の側部を備える
請求項１乃至３のいずれかに記載の椅子。
【請求項５】
前記第２の座部は前記椅子の本体に対し着脱可能である
請求項１乃至４のいずれかに記載の椅子。
【請求項６】
前記第２の座部は前記椅子の本体に対し回動可能に取り付けられる
請求項１乃至５のいずれかに記載の椅子。
【請求項７】
前記第２の座部は、前記第１の形状から前記第２の形状への変形において、回動の後、下方へ移動可能に、前記椅子の本体に対し取り付けられる
請求項６に記載の椅子。
【請求項８】
上方から見た場合に、前記第３の座面を前記第１の座面と前記第１の座面以外の部分とに仕切る位置に配置され、前記第１の座部から上方へ延伸する、もしくは前記背もたれ部から前方へ延伸する、仕切り部を備える
請求項１乃至７のいずれかに記載の椅子。
【請求項９】
前記仕切り部は前記椅子の本体に対し着脱可能である
請求項８に記載の椅子。
【請求項１０】
前記仕切り部は前記椅子の本体に対し回動可能に取り付けられる
請求項８または９に記載の椅子。
【請求項１１】
前記第１の形状において前記第２の座面上に座るユーザが足を置くための足置き台を備え、
前記第１の形状と前記第２の形状とにおいて、前記足置き台を異なる位置に配置可能である
請求項１乃至１０のいずれかに記載の椅子。
【請求項１２】
前記第１の形状と前記第２の形状との間の変形に連動し、前記足置き台の位置を移動する移動機構を備える
請求項１１に記載の椅子。
【発明の詳細な説明】
【技術分野】
【０００１】
本発明は、椅子に関する。
【背景技術】
【０００２】
喫茶店、レストラン、ラーメン屋等で使用される椅子は、手荷物等を置く場所や機能を有していないことが多い。このため、手荷物等を有する顧客が、自分が着席する椅子と手荷物等を置く椅子の２席を占用してしまうことが多い。
【０００３】
このような問題を解決するために、従来からいくつかの提案がなされている。例えば、特許文献１に開示される小物収納具は、椅子の側方に取り付けられ、手荷物の収納を可能にする。
【０００４】
また、特許文献２に開示される椅子は、座部と背もたれ部との間のスペースに収納部を設けることにより、手荷物等を安全かつ端正に収納することを可能にしている。
【先行技術文献】
【特許文献】
【０００５】
【特許文献１】実開平５−９１４５４号公報
【特許文献２】実登３１１３５１７号公報
【発明の概要】
【発明が解決しようとする課題】
【０００６】
上述の収納方法によれば、いわゆるポーチ程度の小物であれば収納可能であるが、大きな荷物の収納は困難である。具体的には、特許文献１の小物収納具は、椅子の側方に取り付けるという構成上、大きな物を収納することができない。また、特許文献２の椅子の収納部に大きな物を配置すると、顧客が腰掛ける際に収納した物が顧客の腰部にあたり邪魔になるという問題がある。
【０００７】
また、上述したような店舗において、子供が大人用の椅子を利用すると、安全性と利便性の両面から問題がある。具体的には、子供が椅子から転落する危険性があったり、椅子の高さに対するテーブルの高さが子供にとって高すぎて、子供が飲食等を行うのに不便であったりする。従って、子供連れの大人の顧客が店舗を利用しにくい、という問題がある。
【０００８】
さらに、椅子のサイズは、ほとんどの場合、平均的な大人の体型に合わせて作られている。従って、平均よりもかなり大きな体格の顧客が店舗を訪れた場合、やむを得ず２つの椅子を並べてそれらの上に着席してもらう、ということが行われているが、顧客にとってあまり座り心地がよくない、という問題もある。
【０００９】
そこで、本発明は、大きな手荷物等を持った顧客、子供連れの顧客、大きい体格の顧客といった様々なユーザのニーズに応じることを可能とする椅子を提供することを目的とする。
【課題を解決するための手段】
【００１０】
本発明は、上記の目的に鑑みて想到されたものであり、
第１の形状と第２の形状とを選択的に取り得る変形可能な椅子であって、
前記第１の形状においては、第１の座面を形成する第１の座部と、前記第１の座面より高所において上方から見た場合に前記第１の座部の少なくとも一部を覆う位置に位置する第２の座面を形成する第２の座部とを備え、
前記第２の形状においては、前記第２の座部が前記第２の座面を形成せず、前記第１の座部が前記第１の座面の全てを含み前記第１の座面よりも広い第３の座面を形成する
椅子を提供する（第１の実施態様）。
【００１１】
また、上記の第１の実施態様において、
前記第１の座部の後端部から上方へ延伸する背もたれ部を備える
構成を採用してもよい（第２の実施態様）。
【００１２】
また、上記の第２の実施態様において、
前記背もたれ部は、上端部の左右方向のいずれかの位置から下方に向かう切れ目であって、上下方向の長さが１０センチメートル以上である切れ目を有する
構成を採用してもよい（第３の実施態様）。
【００１３】
また、上記の第１乃至３のいずれかの実施態様において、
前記第１の座部の左側端部と右側端部との少なくともいずれか一方から上方へ延伸する、もしくは前記背もたれ部の左側端部と右側端部との少なくともいずれか一方から前方へ延伸する、１以上の側部を備える
構成を採用してもよい（第４の実施態様）。
【００１４】
また、上記の第１乃至４のいずれかの実施態様において、
前記第２の座部は前記椅子の本体に対し着脱可能である
構成を採用してもよい（第５の実施態様）。
【００１５】
また、上記の第１乃至５のいずれかの実施態様において、
前記第２の座部は前記椅子の本体に対し回動可能に取り付けられる
構成を採用してもよい（第６の実施態様）。
【００１６】
また、上記の第６の実施態様において、
前記第２の座部は、前記第１の形状から前記第２の形状への変形において、回動の後、下方へ移動可能に、前記椅子の本体に対し取り付けられる
構成を採用してもよい（第７の実施態様）。
【００１７】
また、上記の第１乃至７のいずれかの実施態様において、
上方から見た場合に、前記第３の座面を前記第１の座面と前記第１の座面以外の部分とに仕切る位置に配置され、前記第１の座部から上方へ延伸する、もしくは前記背もたれ部から前方へ延伸する、仕切り部を備える
構成を採用してもよい（第８の実施態様）。
【００１８】
また、上記の第８の実施態様において、
前記仕切り部は前記椅子の本体に対し着脱可能である
構成を採用してもよい（第９の実施態様）。
【００１９】
また、上記の第８または９の実施態様において、
前記仕切り部は前記椅子の本体に対し回動可能に取り付けられる
構成を採用してもよい（第１０の実施態様）。
【００２０】
また、上記の第１乃至１０のいずれかの実施態様において、
前記第１の形状において前記第２の座面上に座るユーザが足を置くための足置き台を備え、
前記第１の形状と前記第２の形状とにおいて、前記足置き台を異なる位置に配置可能である
構成を採用してもよい（第１１の実施態様）。
【００２１】
また、上記の第１１の実施態様において、
前記第１の形状と前記第２の形状との間の変形に連動し、前記足置き台の位置を移動する移動機構を備える
構成を採用してもよい（第１２の実施態様）。
【発明の効果】
【００２２】
本発明の第１の実施態様にかかる椅子によれば、子供連れのユーザであれば第１の形状において自分の着座する座面より高い座面に子供を座らせることができ、大きな体格のユーザであれば第２の形状において快適に椅子に座ることができ、大きな手荷物を持ったユーザであれば第２の形状において自分の着座する座面と同じ高さに手荷物を置くことができ、それぞれの場合においてユーザやその連れの子供が快適に座ることができるである。
【００２３】
また、本発明の第２の実施態様にかかる椅子によれば、着座するユーザやその連れの子供が後方にもたれかかって快適に座ることができるとともに、手荷物を置く場合、椅子の後方に荷物が倒れて落ちる、という問題も回避される。
【００２４】
また、本発明の第３の実施態様にかかる椅子によれば、平均的な体格のユーザが上着等を背もたれ部に掛ける際に不便が伴わない。
【００２５】
また、本発明の第４の実施態様にかかる椅子によれば、着座するユーザやその連れの子供が側方にもたれかかって快適に座ることができるとともに、手荷物を置く場合、椅子の側方に荷物が倒れて落ちる、という問題も回避される。
【００２６】
また、本発明の第５の実施態様にかかる椅子によれば、第２の形状において、不要となる第２の座部を椅子本体から取り外し、邪魔にならない場所に移動することができる。
【００２７】
また、本発明の第６の実施態様にかかる椅子によれば、第２の形状において、不要となる第２の座部を回動させて広い面が垂直方向となるように配置することで、第２の座部があまり邪魔にならないようにすることができる。
【００２８】
また、本発明の第７の実施態様にかかる椅子によれば、第２の形状において、不要となる第２の座部を回動させて広い面が垂直方向となるように配置した際、第２の座部を下方に移動させることにより、第２の座部が椅子の側方を高い位置まで遮ることにより生じる不便を回避することができる。
【００２９】
また、本発明の第８の実施態様にかかる椅子によれば、仕切り部によってユーザの着座スペースと、その連れの子供の着座スペースもしくは手荷物を置くスペースとを仕切ることにより、ユーザやその連れの子供がより快適に座ることができる。
【００３０】
また、本発明の第９の実施態様にかかる椅子によれば、仕切り部を取り外すことによって大きな体格のユーザが快適に座ることができる。
【００３１】
また、本発明の第１０の実施態様にかかる椅子によれば、大きな体格のユーザが座る際に不要となる仕切り部を回動することにより、邪魔にならない位置に移動することができる。
【００３２】
また、本発明の第１１の実施態様にかかる椅子によれば、第２の形状において第２の座面上に座る子どもが足を足置き台上に置くことにより、安定して座ることができる。
【００３３】
また、本発明の第１２の実施態様にかかる椅子によれば、第２の形状において不要となる足置き台がユーザの邪魔とならない位置に自動的に移動するため、便利である。
【図面の簡単な説明】
【００３４】
【図１】図１は、本発明の実施形態にかかる椅子の第１の形状の概略図である。
【図２】図２は、本発明の実施形態にかかる椅子の第２の形状の概略図である。
【図３】図３は、本発明の実施形態にかかる椅子の第３の形状の概略図である。
【図４】図４は、本発明の実施形態の一変形例にかかる椅子の第１の形状を示す概略図である。
【図５】図５は、本発明の実施形態の一変形例にかかる椅子の第２の形状を示す概略図である。
【図６】図６は、本発明の実施形態の一変形例にかかる椅子の第１の形状を示す概略図である。
【図７】図７は、本発明の実施形態の一変形例にかかる椅子の第２の形状を示す概略図である。
【図８】図８は、本発明の実施形態の一変形例にかかる椅子の第１の形状を示す概略図である。
【図９】図９は、本発明の実施形態の一変形例にかかる椅子の第２の座部と収容ボックスとの連結の様子を示す概略図である。
【図１０】図１０は、本発明の実施形態の一変形例にかかる椅子の第３の形状を示す概略図である。
【図１１】図１１は、本発明の実施形態の一変形例にかかる椅子の第２の形状を示す概略図である。
【図１２】図１２は、本発明の実施形態の一変形例にかかる椅子の第１の形状を示す概略図である。
【図１３】図１３は、本発明の実施形態の一変形例にかかる椅子の第３の形状を示す概略図である。
【図１４】図１４は、本発明の実施形態の一変形例にかかる椅子の第２の形状を示す概略図である。
【発明を実施するための形態】
【００３５】
（実施形態）
以下、本発明の一具体例である実施形態について、図面を用いて説明する。図１および図２は、本実施形態にかかる椅子１の概略図である。椅子１は、仕切り部により区切られた２つのスペースを持つ第１の形状と、仕切り部により区切られない１つのスペースを持つ第２の形状との間を、ユーザが自由に変更可能な構造を備えている。図１は第１の形状の椅子１を示し、図２は第２の形状の椅子１を示している。
【００３６】
以下、椅子１における上下左右といった位置関係を述べる場合、ユーザが椅子１に座った状態において当該ユーザから見た上下左右をいうものとする。また、椅子１における手前および奥といった位置関係を述べる場合、ユーザが椅子１に座った状態において当該ユーザの前方を手前、当該ユーザの後方を奥というものとする。
【００３７】
椅子１は、第１の座部１１と、第１の座部１１を支持する４本の脚１２−１、脚１２−２、脚１２−３および脚１２−４（以下、各々の脚を区別する必要がない場合、それらを単に脚１２と呼ぶ）と、第１の座部１１が形成する座面とは高さが異なる座面を形成可能な第２の座部１３と、第１の座部１１の後端部から上方へ延伸する背もたれ部１４と、第１の座部１１の左側端部から上方へ延伸する側部１５Ｌおよび第１の座部１１の右側端部から上方へ延伸する側部１５Ｒ（以下、左右の側部１５を区別する必要がない場合、それらを単に側部１５と呼ぶ）と、仕切り部１６と、を備える。なお、側部１５Ｌの奥側端部は背もたれ部１４の左側端部と、側部１５Ｒの奥側端部は背もたれ部１４の右側端部と、各々連結されている。
【００３８】
椅子１を構成する各部材は、例えば、後述する金属製のネジ等を除いて木製である。
【００３９】
第１の座部１１は、例えば、矩形状の板材であり、より具体的には横幅が９０センチメートルで奥行きが５０センチメートルである。また、第１の座部１１の厚さは、例えば４センチメートルである。
【００４０】
第１の座部１１には、例えば、左側端部から右側へ向かって約３５センチメートルの位置の上面に手前から奥に向かい、幅が約４センチメートル、深さが約１センチメートルの溝１１１が彫られている。溝１１１は、背もたれ部１４に設けられた溝１４１とともに、椅子１の第１の形状における仕切り部１６の位置決めおよびその固定のために用いられる。
【００４１】
また、第１の座部１１は、例えば、左側端部から右側へ向かって約５センチメートルの位置の上面に手前から奥に向かい、幅が約４センチメートル、深さが約１センチメートルの溝１１２が彫られている。溝１１２は、背もたれ部１４に設けられた溝１４２とともに、椅子１の第２の形状における仕切り部１６の位置決めおよびその固定のために用いられる。
【００４２】
椅子１の第１の形状において、第１の座部１１は通常の体格のユーザが座る第１の座面を形成する。第１の座面は、第１の座部１１の上面のうち溝１４１より右に位置する部分である。
【００４３】
また、椅子１の第２の形状において、第１の座部１１は大きな体格のユーザが座る横方向に広い第３の座面を形成する。第３の座面は、第１の座部１１の上面のうち溝１１２より右に位置する部分である。
【００４４】
脚１２は、例えば、円柱状の形状を有する部材であり、その断面を構成する円の直径が５センチメートルである。また、脚１２の長手方向の長さは、例えば３６センチメートルである。
【００４５】
脚１２は、第１の座部１１の裏面に、例えば金属製のネジによって留められている。
【００４６】
脚１２が第１の座部１１を支持することにより、上述の第１の座面および第３の座面の高さは椅子１が配置される床面から約４０センチメートルとなる。
【００４７】
第２の座部１３は、例えば、矩形状の板材であり、横幅が３４．５センチメートル、奥行きが５０センチメートルである。また、第２の座部１３の厚さは、例えば３センチメートルである。
【００４８】
第２の座部１３は、椅子１の第２の形状においては特段の役割を果たさず、側部１５Ｌに寄り添うように垂直に立てられた状態で、留め金１８により側部１５Ｌに対して固定される。留め金１８は、例えば側部１５Ｌの前側面に取り付けられたフック１８ａと、第２の座部１３の前側面に取り付けられたピン１８ｂとにより構成され、ユーザが第２の座部１３を立てた状態でフック１８ａをピン１８ｂに引っ掛けると、第２の座部１３が側部１５Ｌに固定される。
【００４９】
第２の座部１３は、椅子１の第１の形状において、左側端部が側部１５Ｌによって支持され、右側端部が仕切り部１６によって支持されることにより、水平な状態で子供が座る第２の座面を形成する。第２の座面は、第２の座部１３の上面の全体である。
【００５０】
図１に示されるように、椅子１の第１の形状において、第２の座面は第１の座面より高所において、上方から見た場合に第１の座部１１の一部分を覆う位置に配置される。
【００５１】
上述した第１の形状と第２の形状との間で第２の座部１３の配置を変更可能とするために、第２の座部１３の左側端部は１個以上の蝶番１９により、側部１５Ｌに対し回動可能に取り付けられている。蝶番１９の取り付け位置は、例えば、側部１５Ｌの下端部から上方へ向かって約１６センチメートルの高さである。
【００５２】
また、仕切り部１６の左側面には、蝶番１９の取り付け位置とほぼ同じ高さにおいて手前から奥に向かい溝１６１が彫られており、第２の形状において第２の座部１３の右側端部が溝１６１の下面上に載ることにより、第２の座部１３が仕切り部１６に支持され水平状態が維持される仕組みとなっている。
【００５３】
なお、第２の座部１３の右側端部は、溝１６１にスムーズに嵌り込むように、第２の形状における右上角部が丸く削られている。
【００５４】
背もたれ部１４は、例えば横幅が９０センチメートルで高さが５４センチメートルの矩形状の板材の一部に切れ目を有する部材である。また、背もたれ部１４の厚さは、例えば３センチメートルである。背もたれ部１４は、第１の座部１１の後端部に、例えば金属製のネジによって留められている。
【００５５】
背もたれ部１４に設けられている切れ目は、例えば、背もたれ部１４の右側端部から左側へ向かって約５０センチメートルの位置と左側端部から右側へ向かって約３０センチメートルの位置との間において、上端部から下方に向かって２０センチメートルの深さで設けられた切り欠きである。この切れ目の存在により、ユーザは、衣服等を背もたれ部１４に掛ける際に不便を感じない。
【００５６】
背もたれ部１４の手前面には、例えば、左側端部から右側へ向かって約３５センチメートルの位置に上下方向に、幅が約４センチメートル、深さが約０．５センチメートルの溝１４１が彫られている。上述したように、溝１４１は溝１１１とともに、第１の形状における仕切り部１６の位置決めおよびその固定のために用いられる。
【００５７】
また、背もたれ部１４の手前面には、例えば、左側端部から右側へ向かって約５センチメートルの位置に上下方向に、幅が約４センチメートル、深さが約０．５センチメートルの溝１４２が彫られている。上述したように、溝１４２は溝１１２とともに、第２の形状における仕切り部１６の位置決めおよびその固定のために用いられる。
【００５８】
側部１５Ｌは、第１の座部１１および背もたれ部１４の左側端部の各々から延伸する板材である。同様に、側部１５Ｒは、第１の座部１１および背もたれ部１４の右側端部の各々から延伸する板材である。なお、側部１５は、第１の座部１１から見れば上方へ延伸し、背もたれ部１４から見れば前方へ延伸する。側部１５は、例えば、奥行きが５３センチメートル、高さが３４センチメートル、厚さが４センチメートルの矩形状の板材に対し、手前上に位置する角部に曲率半径１０センチメートルの丸みをつけた部材である。
【００５９】
側部１５は、第１の座部１１および背もたれ部１４の側端部の各々に、例えば金属製のネジによって留められている。なお、上述の丸みは、側部１５の角がユーザにぶつかる不便を解消するために設けられている。
【００６０】
仕切り部１６は、第１の形状において、溝１１１および溝１４１に嵌め込まれ、第１の座部１１の上部を、第１の座面上のスペースと、第２の座部１３に覆われるスペースとに仕切るための部材である。第２の形状において、仕切り部１６は特段の役割を果たさず、溝１１２および溝１４２に嵌め込まれて、第１の座部１１の上部を第３の座面上のスペースとして解放する。
【００６１】
仕切り部１６は椅子１の本体に対し、ユーザにより自由に着脱可能である。具体的には、仕切り部１６が椅子１の本体から取り外されている状態において、ユーザは仕切り部１６の下端部を溝１１１もしくは溝１１２に嵌め込んだ後に奥方向に押し込み、仕切り部１６の奥端部を溝１４１もしくは溝１４２に嵌め込むことにより、仕切り部１６を椅子１の本体に取り付けることができる。また、仕切り部１６が椅子１の本体に取り付けられている状態において、ユーザは仕切り部１６を手前に引き出して仕切り部１６の奥端部を溝１４１もしくは溝１４２から取り外した後に仕切り部１６を上方に引き上げて仕切り部１６の下端部を溝１１１もしくは溝１１２から取り外すことにより、仕切り部１６を椅子１の本体から取り外すことができる。
【００６２】
仕切り部１６は、概ね側部１５と同じ大きさおよび形状を有している。より具体的には、仕切り部１６は、例えば、奥行きが５０．５センチメートル、高さが３１センチメートル、厚さが４センチメートルの矩形状の板材に対し、手前上に位置する角部に曲率半径が１０センチメートルの丸みをつけた部材である。なお、上述の丸みは、仕切り部１６の角がユーザにぶつかる不便を解消するために設けられている。
【００６３】
仕切り部１６の左側面には、上述したように溝１６１が彫られている。溝１６１は、例えば幅（上下方向の長さ）が約４センチメートル、最大深さ（下面の左右方向の長さ）が約２センチメートルで、仕切り部１６の下端から約１１．５センチメートルの高さ位置に設けられている。また、第１の形状において第２の座部１３の右側端部の丸みに沿うように、溝１６１の深さ（左右方向の長さ）が上にいく程浅くなっている。
【００６４】
例えば子供連れのユーザは、椅子１を第１の形状に組み立て、第１の座面上に自分が座り、第２の座面上に子供を座らせ、ハンドバッグのような比較的小さい手荷物であれば第２の座部１３の下のスペースにそれを収納させる、という使い方ができる。その場合、第２の座部１３により形成される第２の座面は子供が座るのに程良い高さであると同時に、仕切り部１６および側部１５Ｌにより左右が支持されるため、子供が椅子から転落する危険性も低く望ましい。また、子供連れでないユーザが、椅子１を第１の形状に組み立て、第２の座部１３の上のスペースに比較的大きい手荷物を置く、という使い方をしてもよい。
【００６５】
また、例えば大きな体格のユーザは、椅子１を第２の形状に組み立て、第３の座面上に座る、という使い方ができる。その場合、大きな体格のユーザにとって、通常の椅子を２つ横に並べた場合と比較し、座面が平らで座り心地がよい上に、左右の側部１５にもたれかかることもでき快適である。また、通常の体格のユーザが椅子１を第２の形状に組み立て、第３の座面上に座ると同時に、手荷物等を第３の座面上の余ったスペースに置く、という使い方をしてもよい。
【００６６】
さらに、上述したような構造を備える椅子１は、第２の座部１３に関しては第２の形状における場合と同様に縦置きで留め金１８により側部１５Ｌに固定され、仕切り部１６に関しては第１の形状における場合と同様に溝１１１および溝１４１に嵌め込まれた状態の第３の形状をとることもできる。図３は、そのような第３の形状の椅子１を示している。
【００６７】
ユーザは第３の形状に組み立て、自分は仕切り部１６より右のスペースに座り、仕切り部１６より左のスペースに手荷物を置く、といった使い方ができる。第２の形状において第３の座面上の余ったスペースに手荷物を置く場合と比較し、第３の形状において第１の座部１１の上に置かれる手荷物は仕切り部１６により右側から支持されユーザに向かい倒れてこないため、邪魔にならない。また、仕切り部１６より左のスペースにおいて、第１の座部１１の上の空間が第２の座部１３により覆われていないため、丈の高い荷物を置いた場合、その荷物の安定性が保たれる上に、ユーザが仕切り部１６より右のスペースに座った状態で荷物の中の物を出し入れする場合などにおいて、荷物の位置が高すぎて不便を感じることが少ない。
【００６８】
このように、椅子１によれば、子供連れのユーザも、複数もしくは比較的大きなサイズの手荷物を持ったユーザも、大きな体格のユーザも、快適に座ることができる。また、椅子１の横幅、すなわち左右方向の長さは、通常の椅子２個分の横幅よりも短い。従って、仮にほとんど全てのユーザが手荷物を持っており、自分が座るための椅子と手荷物を置くための椅子の２席を占有するとすれば、１台の椅子１が通常の椅子２個分の役割を果たすため、椅子１を用いることにより限られたスペースの有効利用が可能となる。
【００６９】
本実施形態は、本発明の技術的思想の範囲内において、様々に変形が可能である。以下に変形例を示す。なお、以下の説明において、上述した椅子１と異なる点を中心に説明する。また、椅子１と同様の構成要素については同じ符号を付すものとする。
【００７０】
（変形例１）
図４および図５は、第１の変形例にかかる椅子２の概略図である。
【００７１】
椅子２には、仕切り部１６が設けられておらず、第１の形状において仕切り部１６に代わり第２の座部１３の右側端部を支持する垂直支持部１７が第２の座部１３の右側端部に１個以上の蝶番２０により回動可能に取り付けられている。
【００７２】
垂直支持部１７は、例えば、奥行きが５０センチメートル、幅、すなわち第１の形状における上下方向の長さが１０センチメートル、厚さが４センチメートルの矩形状の板材である。
【００７３】
ユーザが椅子２を第１の形状にしたい場合、垂直支持部１７の下端部を溝１１１に嵌め込む。その結果、垂直支持部１７が左右方向に倒れることが防止され、第２の座部１３がしっかりと水平に保持される。
【００７４】
なお、椅子１において仕切り部１６を固定するために設けられていた溝１４１、溝１１２および溝１４２は、椅子２においては不要であるため設けられていない。
【００７５】
ユーザが椅子２を第２の形状にしたい場合、垂直支持部１７の下端部を溝１１１から引き抜き、垂直支持部１７を蝶番２０の軸周りに回動させて第２の座部１３に沿うように折りたたみ、続いて第２の座部１３を蝶番１９の軸周りに回動させて側部１５Ｌに沿うように折りたたんだ後、留め金１８により第２の座部１３を側部１５Ｌに固定する。その結果、第２の座部１３および垂直支持部１７が縦置きの状態で保持される。
【００７６】
椅子２は椅子１がとり得る第３の形状、すなわち仕切り部１６により仕切られた２つのスペースが第１の座部１１の上部に形成される形状をとることはできない。しかし、椅子２においては、第１の形状と第２の形状との間の移行において仕切り部１６の着脱作業が不要であり、その移行作業が容易である、というメリットがある。
【００７７】
（変形例２）
図６および図７は、第２の変形例にかかる椅子３の概略図である。
【００７８】
椅子３は、仕切り部１６が第１の座部１１と背もたれ部１４とに設けられたレールに沿って左右方向に移動可能な構成を備えている。
【００７９】
具体的には、第２の座部１３は、仕切り部１６と側部１５Ｌとの間の空間において、仕切り部１６と側部１５Ｌとに対し上下方向に移動可能に連結された状態で、仕切り部１６の左右方向の移動に伴い、第１の形状における水平な状態から第２の形状における縦置きの状態まで、その位置を変えることができる。
【００８０】
椅子３の第１の形状、すなわち第２の座部１３が水平な状態では、第２の座面（第２の座部１３の上面）が第１の座面（第１の座部１１の上面）から測って約１２センチメートルの高さで、第２の座部１３の左側端部は側部１５Ｌに、第２の座部１３の右側端部は仕切り部１６に、各々連結されている。
【００８１】
第１の形状において、第２の座部１３の右側端部は、仕切り部１６の左側面の中腹部に設けられた段差の上に載り、下方から支持される。また、第２の座部１３の左側端部は、側部１５Ｌの右側面から右方向に突起した状態でロックされた１個以上のラッチボルト３０（爪）により、下方から支持される。そのため、第２の座面上に子供が座っても、第２の座部１３はその子供の加重を支持することができる。
【００８２】
側部１５Ｌの手前側面には、ラッチボルト３０のロックを解除するためのボタン３１が設けられている。
【００８３】
ユーザがボタン３１を押しながら仕切り部１６を上述のレールに沿って左方向へ移動すると、ラッチボルト３０のロックが解除され、第２の座部１３の左側端部が側部１５Ｌの縦方向に設けられているレールに沿って下方へ移動すると同時に、第２の座部１３の右側端部が仕切り部１６の縦方向に設けられているレールに従って上方へ移動する。
【００８４】
側部１５Ｌの右側面には第２の座部１３を収容する凹み部が設けられている。仕切り部１６が最大限に左方向に移動された状態においては、第２の座部１３がその凹み部に収容され、仕切り部１６と側部１５Ｌとが直接隣接した状態で縦置きとなる。その状態において、椅子３は第２の形状となる。
【００８５】
第２の形状の椅子３を第１の形状に移行させたい場合、ユーザは単に仕切り部１６を右方向へ移動させればよい。仕切り部１６の右方向への移動に伴い、第２の座部１３の左側端部が側部１５Ｌの縦方向に設けられているレールに沿って上方へ移動すると同時に、第２の座部１３の右側端部が仕切り部１６の縦方向に設けられているレールに従って下方へ移動する。
【００８６】
仕切り部１６が最大限に右方向に移動された状態においては、第２の座部１３の右側端部が仕切り部１６の段差の上に載り、第２の座部１３の左側端部がラッチボルト３０の上まで移動し、ラッチボルト３０がロックされる。その結果、第２の座部１３が水平状態で仕切り部１６および側部１５Ｌにより支持される状態、すなわち第１の形状となる。
【００８７】
椅子３もまた、椅子１がとり得る第３の形状、すなわち仕切り部１６により仕切られた２つのスペースが第１の座部１１の上部に形成される形状をとることはできない。しかし、椅子３においても、第１の形状と第２の形状との間の移行において仕切り部１６の着脱作業が不要であり、その移行作業が容易である、というメリットがある。
【００８８】
なお、仕切り部１６もしくは第２の座部１３を移動可能に第１の座部１１もしくは背もたれ部１４に連結する構造は、上述したレール構造に限られず、他のいかなる構造が採用されてもよい。
【００８９】
また、第２の座部１３は、仕切り部１６の左方向への動きに従って、左側が下方へ移動し右側が上方へ移動するものとしたが、右側が下方へ移動し左側が上方へ移動するものとしてもよい。
【００９０】
（変形例３）
図８、図１０および図１１は、第３の変形例にかかる椅子４の概略図である。
【００９１】
椅子４は、仕切り部１６が１以上の蝶番４２により、椅子４の手前から奥へ向かう水平方向を軸として回転するように第１の座部１１に取り付けられている。また、椅子４の第１の座部１１の左側上部には、仕切り部１６を収容可能な凹部１１４が設けられており、蝶番４２の回動に従い水平となった仕切り部１６の上面が第１の座部１１の凹部１１４意外の上面と同じ高さとなった状態で下方から第１の座部１１により支持されるようになっている。
【００９２】
仕切り部１６の奥側面には、奥方向に突起した状態でロックされるラッチボルト４３が取り付けられている。また、背もたれ部１４の手前面上には、仕切り部１６が第１の座部１１上に垂直に立った状態（図８または図１０の状態）においてラッチボルト４３に対向する位置に、突起したラッチボルト４３を受容して固定するためのストライクボックス４４が設けられている。
【００９３】
さらに、仕切り部１６には、ラッチボルト４３のロックの解除および引き込みを行うためのボタン４５が設けられている。ボタン４５がユーザにより押下されると、ラッチボルト４３のロックが解除されて、ストライクボックス４４に対し突起しているラッチボルト４３が仕切り部１６の内側へと引き込まれる。それにより、仕切り部１６の背もたれ部１４に対する固定が解かれ、ユーザの力により仕切り部１６が蝶番４２に従い自由に回動可能となる。
【００９４】
なお、上記のように、仕切り部１６は蝶番４２に従った回動により第１の座部１１の凹部１１４に収容されるため、椅子１に設けられている溝１１１、溝１１２、溝１４１、溝１４２は椅子４には設けられていない。
【００９５】
椅子４の第２の座部１３は、椅子１における場合と同様に、椅子４の手前から奥へと向かう水平方向を軸として回動する点は共通しているが、その回動により垂直となった後、下方へと押し下げ可能となっている。そして、最下方まで押し下げられた状態において、第２の座部１３の上側面の高さが側部１５Ｌの上側面の高さと一致するようになっている。
【００９６】
その結果、第２の座部１３が第２の座面を形成することなく垂直となっている状態（図１０および図１１の状態）において、椅子１における場合のように第２の座部１３が椅子の側面を高い位置まで遮ってしまい邪魔になることがなく、また第２の形状（図１１）において大きい体格のユーザが座る際に左肘を側部１５Ｌに置く際の邪魔にもならない。
【００９７】
第２の座部１３を回動可能としつつ、垂直状態で下に押し下げ可能とする構造の一例として、椅子４においては、側部１５Ｌの右側面に接するように収容ボックス４１が配置されている。収容ボックス４１は、上面に第２の座部１３を挿入するための開口部を有し、内部は第２の座部１３の一部を収納するために中空となっている。
【００９８】
第２の座部１３は、水平状態（図８の状態）における左端部近くに、第２の座部１３の手前側面から手前方向および奥側面から奥方向に、例えば金属製の円柱形状の突起１３４を各々有している。第２の座部１３が収容ボックス４１に取り付けられる際、突起１３４が収容ボックス４１の上面にひっかかることにより、第２の座部１３が収容ボックス４１から外れないようになっている。図９は、第２の座部１３と収容ボックス４１が突起１３４により連結される様子を模式的に示した図である。
【００９９】
なお、上記のように、第２の座部１３は収容ボックス４１と係合することにより椅子４の本体に回転可能に連結され、また収容ボックス４１により垂直状態の第２の座部１３が左右方向に支持されるため、椅子１に設けられていた蝶番１９および留め金１８は椅子４には設けられていない。
【０１００】
第２の座部１３を回動可能かつ垂直状態で下方へ押し下げ可能とする構造は上記のものに限られず、例えば、側部１５Ｌの右側面に上下方向に延伸するレールを設け、そのレール上を上下方向に移動可能に取り付けられた蝶番に第２の座部１３が取り付けられ、その蝶番が第１の形状を保つ際に上下に移動しないようにロックされる構造を備えるなど、他の構造が採用されてもよい。
【０１０１】
上記のような椅子４によれば、ユーザは、例えば図８に示される第１の形状から、突起１３４を軸に第２の座部１３を回動させて垂直とした後、第２の座部１３を収容ボックス４１内に押し込むことにより、図１０に示される第３の形状とすることができる。さらに、ユーザは、図１０に示される第３の形状から、ボタン４５を押下しながら仕切り部１６を蝶番４２に従い回動させて凹部１１４に向かい倒すことにより、図１１に示される第２の形状とすることができる。
【０１０２】
また、ユーザは図１１に示される第２の形状から、仕切り部１６を蝶番４２に従い回動させつつ引き上げることで、図１０に示される第３の形状とすることができる。その際、ラッチボルト４３はストライクボックス４４に対向する位置に到達した時点で背もたれ部１４側へ突起し、そこでロックされる。なお、仕切り部１６を引き上げる際に便利なように、例えば仕切り部１６が水平状態に置かれている状態（図１１の状態）における仕切り部１６の上面の左端付近に、環状の紐や取っ手等が取り付けられていてもよい。
【０１０３】
さらに、ユーザは図１０に示される第３の形状から、第２の座部１３を収容ボックス４１から上方に引き出した後、突起１３４を軸に回動させて水平状態とし、その端部を仕切り部１６の溝１６１に引っ掛けるように載せることにより、図８に示される第１の状態とすることができる。
【０１０４】
（変形例４）
図１２、図１３および図１４は、第４の変形例にかかる椅子５の概略図である。
【０１０５】
椅子５は、椅子４における場合と同様に、蝶番４２により第１の座部１１の上面に回動可能に取り付けられた仕切り部１６を備えており、水平状態となった仕切り部１６を収容可能な凹部１１４が第１の座部１１の上面に設けられている点も椅子４と同様である。ただし、椅子５の仕切り部１６には、椅子４等において第２の座部１３の一方の端部を支えるために設けられていた溝１６１は設けられていない。
【０１０６】
椅子５は、椅子１等においては厚さが例えば３センチメートルの平板な形状であった第２の座部１３に代えて、厚さが例えば１６センチメートルのクッション素材でできた第２の座部５３を備えている。
【０１０７】
第２の座部５３が第１の座部１１の凹部１１４の上面に水平に配置された状態において、第２の座部５３の上面が第２の座面となり、子どもがその上に座ることができる。すなわち、その状態が椅子５の第１の形状である。
【０１０８】
第１の形状（図１２に示される状態）における第２の座部５３の左下端部は、例えば第１の座部１１の凹部１１４の上面に１以上の蝶番５４により回動可能に取り付けられている。第２の座部５３が蝶番５４に従い側部１５Ｌの方向に回動される際に垂直状態となった第２の座部５３の一部を収容しつつ維持するように、側部１５Ｌには左右方向に貫通した孔１５１が設けられている。
【０１０９】
側部１５Ｌを側方から見た際の孔１５１の形状は、椅子５が第１の形状である状態で第２の座部５３を上方から見た際の形状とほぼ同じであり、第２の座部５３の弾性に逆らいその孔に第２の座部５３を押し込むと程良く第２の座部５３が孔１５１に嵌り込んでその位置を保つようになっている。また、第２の座部５３が蝶番５４に従い回動する際に第２の座部５３の角部が引っかからないように、孔１５１の上方は側部１５Ｌの左側方から右側方に向かうに従い、その高さが高くなるように丸みが設けられている。
【０１１０】
椅子５には、さらに、第１の形状において第２の座面上に座る子どもが安定して座れるように、足置き台５５と、足置き台５５を脚１２−２とともに支持するための補助脚５６が設けられている。
【０１１１】
足置き台５５の一方の端部（図１２における左端部）は脚１２−２に対し、脚１２−２の上下方向を軸に、上から見て反時計回りに２７０度だけ回動可能に取り付けられている。一方、足置き台５５の他方の端部（図１２における右端部）は補助脚５６に固定されており、足置き台５５の脚１２−２周りの回動に伴い補助脚５６も回動する。
【０１１２】
上記のような椅子５によれば、ユーザは、例えば図１２に示される第１の形状から、蝶番５４に従い第２の座部５３を回動させて垂直とし、孔１５１に嵌め込むことにより、図１３に示される第３の形状とすることができる。その際、ユーザは足置き台５５を補助脚５６とともに回動させて、第１の座部１１の左側方下部の空間に移動することにより、座る際に足置き台５５が邪魔とならないようにすることができる。
【０１１３】
さらに、ユーザは、図１３に示される第３の形状から、ボタン４５を押下しながら仕切り部１６を蝶番４２に従い回動させて凹部１１４に向かい倒すことにより、図１４に示される第２の形状とすることができる。
【０１１４】
また、ユーザは図１４に示される第２の形状から、仕切り部１６を蝶番４２に従い回動させつつ引き上げることで、図１３に示される第３の形状とすることができる。その際、ラッチボルト４３はストライクボックス４４に対向する位置に到達した時点で背もたれ部１４側へ突起し、そこでロックされる。なお、仕切り部１６を引き上げる際に便利なように、例えば仕切り部１６が水平状態に置かれている状態（図１４の状態）における仕切り部１６の上面の左端付近に、環状の紐や取っ手等が取り付けられていてもよい点は、椅子４の場合と同様である。
【０１１５】
さらに、ユーザは図１３に示される第３の形状から、第２の座部５３を孔１５１から引き出すように蝶番５４に従い回動させて水平状態とし、その底面を第１の座部１１の凹部１１４の上面上に置くことにより、図１２に示される第１の状態とすることができる。その際、ユーザは、足置き台５５を補助脚５６とともに上からみて時計回りに２７０度、回動させて、足置き台５５を椅子５の左前方下部の空間に配置することにより、第２の座面上に座る子どもが安定して座れるようにすることができる。
【０１１６】
上述した椅子５において、側部１５Ｌに貫通した孔１５１を設ける代わりに、側部１５Ｌの左右方向の長さ（厚さ）を例えば１５センチメートル程に厚くし、側部１５Ｌの右側面に凹み部を設け、その凹み部に第２の座部５３の一部を嵌め込む構成が採用されてもよい。
【０１１７】
また、第１の形状においては足置き台５５が椅子５の左前方下部に配置され、第２の形状においては足置き台５５が椅子５の左側方下部に配置されるように、例えば仕切り部１６もしくは第２の座部５３の移動に連動して、足置き台５５が補助脚５６とともに移動する移動機構が椅子５に設けられてもよい。
【０１１８】
また、足置き台５５の支持の方法として脚１２−２および補助脚５６を用いる方法はこれに限られない。例えば、他の方法の例として、第１の座部１１の下面から椅子の前下方に向かい延伸する２本のアームにより左右を支持される足置き台５５が採用されてもよい。そのような構成の椅子において、足置き台５５を支持するアームが、例えば第２の座部１３の回動等に連動して収縮もしくはスライドすることにより、第２の形状において足置き台５５が邪魔にならない位置に自動的に移動される移動機構が採用されてもよい。
【０１１９】
また、足置き台５５の位置が安定するように、例えば補助脚５６の上面から上方に突起した状態でロックされるラッチボルトと、そのロックを解除するボタンと、足置き台５５が椅子５の左全方下部および左側方下部の各々の定位置にある状態におけるラッチボルトに対向する第１の座部１１の下面位置にラッチボルトを受容するストライクボックスとを椅子５が備えるようにしてもよい。
【０１２０】
さらに、補助脚５６の上面の高さと第１の座部１１の下面の高さとの不一致が生じないように、例えば補助脚５６が例えば１センチメートルほど伸びる方向に付勢された伸縮構造を備えるとともに、補助脚５６の上面の角部が例えば丸く成形されていてもよい。
【０１２１】
なお、椅子５において採用された足置き台５５が、椅子１〜４のような本発明にかかる他の実施例において採用されてもよい。
【０１２２】
（その他の変形の例）
上述した実施形態のその他の変形の例を以下に示す。
【０１２３】
例えば、椅子１を構成する各部材は金属製のネジ等を除いて木製であるとしたが、他の素材によって作られていてもよい。したがって、例えば、脚１２がステンレス製であってもよいし、第１の座部１１もしくは第２の座部１３の一部分が何らかの弾性部材によって作られていてもよい。
【０１２４】
また、椅子１を構成する各部材について上述した長さもしくは距離に関する数値は、あくまでも一例であって、他の数値を有する長さもしくは距離が用いられてもよい。
【０１２５】
また、第１の座部１１、第２の座部１３、および背もたれ部１４は矩形状を有するものとしたが、他の形状を有していてもよい。したがって、例えば、第１の座部１１が楕円形状を有する板材であってもよい。
【０１２６】
また、脚１２、背もたれ部１４、および側部１５は例えば金属製のネジによって第１の座部１１に留められるものとしたが、他のいかなる方法によって座部１１に連結もしくは固着されてもよい。
【０１２７】
また、側部１５および仕切り部１６は、例えば矩形状の板材の４つの角のうちの一に丸みを付けた部材であるとしたが、他のいかなる形状を有していてもよい。特に、第２の座部１３が連結されない方の側部１５（上述の説明における側部１５Ｒ）は、例えば、肘掛として好適となるように比較的低い高さを有するようにしてもよい。
【０１２８】
また、脚１２は４本あるものとしたが、その本数はこれに限定されるものではない。また、脚１２は円柱状の形状を有するものとしたが、本発明はこれに限られるものではない。また、脚１２は典型的な脚の形状である長い棒状体に限られず、第１の座部１１を支持することが可能ないかなる形状であってもよい。
【０１２９】
また、第２の座部１３は左側に配置されるものとしたが、第２の座部１３が右側に配置されてもよい。すなわち、左右を逆にした構造が採用されてもよい。
【０１３０】
また、第１の形状において、第２の座部１３は仕切り部１６および側部１５Ｌに支持されるものとしたが、それら以外の部材により支持され水平状態が保持される構造が採用されてもよい。
【０１３１】
また、第２の座部１３もしくは第２の座部５３が椅子１もしくは椅子５に対して着脱可能な構成が採用されてもよい。したがって、第２の座部１３もしくは第２の座部５３は必ずしも側部１５Ｌ等に対して蝶番等により連結されている必要はない。そのような例として、例えば仕切り部１６の左側面および側部１５Ｌの右側面に椅子の手前から奥へ向かう方向に水平に溝を切り、その溝に平板な形状の第２の座部の左右の側端部を嵌め込み奥方向に押し込むようにして滑り込ませることにより、第２の座部を椅子にセットし第１の形状に組み立てる構成の椅子が考えられる。
【０１３２】
また、第２の形状において、第２の座部１３は縦置きの状態で側部１５Ｌに留め金１８により固定されるものとしたが、第２の座部１３を縦置きの状態で保持する方法として如何なる方法が採用されてもよい。
【０１３３】
また、仕切り部１６が椅子の本体に取り付けられる方法として、椅子１および椅子２において採用されている溝に嵌め込む方法、椅子３において採用されているレールを介した方法、椅子４および椅子５において採用されている蝶番を用いる方法の他にいかなる方法が採用されてもよい。また、特に問題がなければ、仕切り部１６は、第１の座部１１もしくは背もたれ部１４に固着されていてもよい。
【０１３４】
また、側部１５は例えば第１の座部１１および背もたれ部１４の左右両側端部の各々から延伸する２枚の板材であるとしたが、本発明はこれに限定されるものではない。したがって、側部１５は、例えば、第１の座部１１の側端部から上方へ延伸する、もしくは背もたれ部１４の側端部から前方へ延伸する部材であってもよい。
【０１３５】
また、仕切り部１６は椅子１の本体に取り付けられた状態で、例えば第１の座部１１から上方へ延伸するとともに背もたれ部１４から前方へ延伸するものとしたが、本発明はこれに限定されるものではない。したがって、仕切り部１６は、例えば、第１の座部１１から上方へ延伸する、もしくは背もたれ部１４から前方へ延伸する部材であってもよい。
【０１３６】
また、背もたれ部１４は上述したような切れ目を有するものとしたが、当該切れ目は、背もたれ部１４の上端部の左右方向のいずれかの位置から下方に向かう切れ目であって、上下方向の長さが１０センチメートル以上の切れ目であればよい。この１０センチメートルという長さは、ユーザが衣服等を背もたれ部１４に掛けるのに不便を感じないために必要な長さである。なお、切れ目の形状は、矩形に限られず、例えばＶ字形状や、下底が上底よりも短い台形なお、他のいかなる形状が採用されてもよい。さらに、ユーザが背もたれ部１４に衣服等をかける必要がなければ、背もたれ部１４に切れ目が設けられなくてもよい。
【０１３７】
また、背もたれ部１４、側部１５、および仕切り部１６は、特に問題がなければ設けられなくてもよい。特に、第２の座部１３が配置されない側の側部１５（上述した説明における側部１５Ｒ）がなければ、例えば狭いスペースにおいて椅子１が利用される場合など、ユーザが座る際の邪魔にならず便利な場合もある。
【０１３８】
例えば椅子１、椅子２、椅子４および椅子５においては、第２の座部は椅子の手前から奥に向かう水平方向を軸に回動することにより、水平位置と垂直位置との間を移動する構成であるものとしたが、その回動の方向はそれに限られない。例えば、第２の座部の奥側端部を背もたれ部１４の手前面に蝶番等で回動可能に取り付け、その蝶番等に従い、左右に向かう水平方向を軸に第２の座部を回動させることにより、水平位置と垂直位置との間を移動可能としてもよい。その場合、例えば背もたれ部１４の手前面に垂直位置の第２の座部を収容可能な凹み部を設け、当該凹み部に収容された第２の座部の手前面と背もたれ部１４の当該凹み部以外の部分の手前面との間に段差がなくなるようにすれば、ユーザが座った際により快適である。
【０１３９】
また、椅子４および椅子５においては、仕切り部は椅子の手前から奥に向かう水平方向を軸に回動することにより、垂直位置と水平位置との間を移動する構成であるものとしたが、その回動の方向はそれに限られない。例えば、仕切り部の奥側端部を背もたれ部１４の手前面に蝶番等で回動可能に取り付け、その蝶番等に従い、垂直方向を軸に仕切り部を回動させることにより、垂直状態のまま、仕切り部を第２の形状においてユーザの邪魔とならない位置に移動可能としてもよい。その場合、例えば背もたれ部１４の手前面に不要となった仕切り部を収容可能な凹み部を設け、当該凹み部に収容された仕切り部の手前面と背もたれ部１４の当該凹み部以外の部分の手前面との間に段差がなくなるようにすれば、ユーザが座った際により快適である。
【０１４０】
また、上述した椅子１の使用方法はあくまでも一例であり、椅子１が他のいかなる方法で使用されてもよい。
【産業上の利用可能性】
【０１４１】
本発明にかかる椅子は、飲食店等のスペースの有効利用が求められる様々な環境において利用されることが期待される。
【符号の説明】
【０１４２】
１…椅子、２…椅子、３…椅子、４…椅子、５…椅子、１１…第１の座部、１２…脚、１３…第２の座部、１４…背もたれ部、１５…側部、１６…仕切り部、１７…垂直支持部、１８…留め金、１９…蝶番、２０…蝶番、３０…ラッチボルト、３１…ボタン、４１…収容ボックス、４２…蝶番、４３…ラッチボルト、４４…ストライクボックス、４５…ボタン、５３…第２の座部、５４…蝶番、５５…足置き台、５６…補助脚、１１１…溝、１１２…溝、１１４…凹部、１３４…突起、１４１…溝、１４２…溝、１５１…孔、１６１…溝
【図１】
2011172857.tif 000003
【図２】
2011172857.tif 000004
【図３】
2011172857.tif 000005
【図４】
2011172857.tif 000006
【図５】
2011172857.tif 000007
【図６】
2011172857.tif 000008
【図７】
2011172857.tif 000009
【図８】
2011172857.tif 000010
【図９】
2011172857.tif 000011
【図１０】
2011172857.tif 000012
【図１１】
2011172857.tif 000013
【図１２】
2011172857.tif 000014
【図１３】
2011172857.tif 000015
【図１４】
2011172857.tif 000016